(57)【要約】【課題】挙動が複雑で、遊技球の振り分け先が変化に富んだものにすることができる弾球遊技機の羽根車を提供すること。【解決手段】羽根２２には、筒状部２１側とは反対側の端部で開口する収納部２３が形成されている。この収納部２３には、筒状部２１に対して近づく方向と離れる方向に移動可能な副羽根２４と、副羽根２４を近づく方向に付勢するコイルスプリング２６とが収納されている。羽根２２の回転時に、副羽根２４が遠心力でコイルスプリング２６の付勢力に抗して離れる方向に移動することにより、羽根２２からの副羽根２４の突出量が大きくなる。羽根２２の前面は前面板２８により覆われている。副羽根２４は前面板２８とも羽根車２０の周囲の遊技領域９とも異なる色に着色されていて、前面板２８よりも外方に突出可能になっている。【選択図】図３
2008289608.tif 000002
【特許請求の範囲】
【請求項１】
遊技球が流下する遊技領域が設けられた遊技盤にあって、この遊技盤に固定された支軸に回転可能に支持される筒状部と、この筒状部の外周面から外方に突出する複数の羽根とを有し、前記羽根への前記遊技球の接触により前記支軸周りに回転する弾球遊技機の羽根車において、
前記羽根には、前記筒状部側とは反対側の端部で開口する収納部が形成され、
この収納部には、前記筒状部に対して近づく方向と離れる方向に移動可能な副羽根と、前記副羽根を近づく方向に付勢する弾性部材とが収納され、
前記羽根の回転時に、前記副羽根が遠心力で前記弾性部材の付勢力に抗して離れる方向に移動することにより、前記羽根からの前記副羽根の突出量が大きくなることを特徴とする弾球遊技機の羽根車。
【請求項２】
前記遊技盤と平行な方向に広がり前記羽根を覆う前面板が設けられ、前記副羽根の色は前記前面板とは異なり、前記羽根の回転時に前記副羽根が前記羽根から前記前面板よりも外方に突出することを特徴とする請求項１記載の弾球遊技機の羽根車。
【発明の詳細な説明】
【技術分野】
【０００１】
本発明は、遊技球が流下する遊技領域が設けられた遊技盤にあって、羽根への遊技球の接触により回転する弾球遊技機の羽根車に関する。
【背景技術】
【０００２】
従来の弾球遊技機の羽根車は、遊技盤に固定された支軸に回転可能に支持される筒状部と、この筒状部の外周面から外方に突出する複数の羽根とを有する。この羽根車は、羽根への遊技球の接触により支軸周りに回転することによって、遊技領域の見た目を賑やかにすることができ、また、遊技球を振り分けることができる。
【０００３】
この種の弾球遊技機の羽根車としては例えば特許文献１で開示されたものがある。
【特許文献１】実開平７−２２７９１号公報
【発明の開示】
【発明が解決しようとする課題】
【０００４】
前述の羽根車の挙動は単調であった。また、前述の羽根車による遊技球の振り分け先は、変化に乏しかった。これらのことから、羽根車に対する遊技者の興味は薄かった。
【０００５】
本発明は前述の実状を考慮してなされたものであり、その目的は、挙動が複雑で、遊技球の振り分け先を変化に富ませることができる弾球遊技機の羽根車を提供することにある。
【課題を解決するための手段】
【０００６】
前述の目的を達成するために、本発明は、遊技球が流下する遊技領域が設けられた遊技盤にあって、この遊技盤に固定された支軸に回転可能に支持される筒状部と、この筒状部の外周面から外方に突出する複数の羽根とを有し、前記羽根への前記遊技球の接触により前記支軸周りに回転する弾球遊技機の羽根車において、前記羽根には、前記筒状部側とは反対側の端部で開口する収納部が形成され、この収納部には、前記筒状部に対して近づく方向と離れる方向に移動可能な副羽根と、前記副羽根を近づく方向に付勢する弾性部材とが収納され、前記羽根の回転時に、前記副羽根が遠心力で前記弾性部材の付勢力に抗して離れる方向に移動することにより、前記羽根からの前記副羽根の突出量が大きくなることを特徴とする。
【０００７】
このように構成された本発明では、羽根の回転時に、副羽根が遠心力で弾性部材の付勢力に抗して筒状部から離れる方向に移動することによって、羽根からの副羽根の突出量が大きくなる。副羽根の突出量は羽根の回転速度に応じて変化する。これにより、羽根車の挙動を複雑にすることができる。また、副羽根に弾かれる遊技球の軌道が副羽根の突出量に応じて変化するので、遊技球の振り分け先を変化に富ませることができる。
【０００８】
また、本発明は、前記遊技盤と平行な方向に広がり前記羽根を覆う前面板が設けられ、前記副羽根の色は前記前面板とは異なり、前記羽根の回転時に前記副羽根が前記羽根から前記前面板よりも外方に突出することを特徴とするものであってもよい。
【０００９】
このように構成された本発明によれば、前面板の外方への副羽根の突出が視認しやすくなる。この結果、副羽根の突出量の変化をより強く印象付けることができ、また、遊技領域の見た目の賑やかさを向上させることができる。
【発明の効果】
【００１０】
本発明によれば、羽根の回転時に、副羽根が遠心力で弾性部材の付勢力に抗して筒状部から離れる方向に移動することによって、羽根からの副羽根の突出量が大きくなるので、挙動が複雑で、遊技球の振り分け先を変化に富ませることができる羽根車を実現できる。この結果、遊技者の羽根車への興味を向上させることができる。
【発明を実施するための最良の形態】
【００１１】
本発明の一実施形態に係る弾球遊技機の羽根車について図を用いて説明する。
【００１２】
図１は本発明の一実施形態に係る羽根車を備えた弾球遊技機の正面側を示す斜視図である。図２は図１に示した弾球遊技機の遊技盤の正面図である。図３は本発明の一実施形態に係る羽根車の正面図である。図４は図３に示した羽根車の裏面図である。図５は図３のV−V断面図である。図６は図３に示した副羽根が羽根から突出した状態を示す正面図である。図７は図６に示した状態の副羽根により振り分けられた遊技球の軌道の一例を示す図である。なお、図２において、遊技領域に設けられる釘や各種入賞口等を省略してある。
【００１３】
本実施形態に係る羽根車は、図１に示す弾球遊技機１に備えられている。この弾球遊技機１は、遊技場の島設備に設置される機枠２と、この機枠２の右側部（図１の左側）に回動可能に支持された前面枠３と、この前面枠３に右側部を回動可能に支持されたガラス扉４と、受け皿６や発射ハンドル７を一体化してなる一体皿ユニット５とを備えている。
【００１４】
前面枠３には、ガラス扉４を通じて視認可能な遊技盤８（図２に示す）が嵌め込まれている。この遊技盤８の前面には、遊技球が流下する遊技領域９が設けられている。この遊技領域９のほぼ中央には、演出のための図柄を表示する表示装置１０が設けられている。この表示装置１０の下方には、回動可能な一対の可動片１２，１３を備えた始動入賞口、いわゆる電動チューリップ１１が設けられている。一対の可動片１２，１３は、遊技球の直径よりも若干大きな間隔をあけた初期位置（図２に実線で示す位置）から、所定の開位置（図２に２点差線で示す位置）まで回動できるようになっている。表示装置１０の右側方（図２では左側方）には、遊技球の通過を検出するスルーチャッカー１４が設けられている。弾球遊技機１は、スルーチャッカー１４による遊技球の通過の検出を契機に、電動チューリップ１１の可動片１２，１３を開くか否かの抽選を行い、当選したときに可動片２４ａ，２４ｂを所定時間（例えば０．５秒）開く制御を行うように設定されている。
【００１５】
本実施形態に係る羽根車は、遊技領域９に設けられた羽根車２０である。この羽根車２０は例えば表示装置１０の右下方に設けられている。図３〜５に示すように、羽根車２０は、遊技盤８に固定された支軸、例えば釘２７に回転可能に支持される筒状部２１と、この筒状部２１の外周面から外方に突出する複数、例えば３枚の羽根２２とを有する。筒状部２１と羽根２２は例えば合成樹脂製の一体部材である。
【００１６】
図３における２７ａは釘２７の頭部であり、この頭部２７ａは、遊技盤８から離れる方向（前方向）への筒状部２１の移動を規制している。つまり、羽根車２０は、その筒状部２１が釘２７に挿通された状態で頭部２７ａと遊技盤８との間に保持されていて、羽根２２への遊技球の接触により釘２７周りに回転するようになっている。
【００１７】
羽根２２には、筒状部２１側とは反対側の端部で開口する収納部２３が形成されている。この収納部２３には、筒状部２１に対して近づく方向と離れる方向に移動可能な副羽根２４と、副羽根２４を筒状部２１に近づく方向に付勢する単数または複数の弾性部材、例えば３つのコイルスプリング２６とが収納されている。各コイルスプリング２６の一端（図６における上側の端部）は、収納部２３の底部に保持されていて、同他端（図６における下側の端部）は、副羽根２４の筒状部２１側の端部から、その筒状部２１から離れる方向に凹んで形成された凹部２４ｃに挿入されて、この凹部２４ｃの底部に保持されている。副羽根２４の先端部には、慣性力の増大を図るためのおもり２５が埋設されている。
【００１８】
羽根車２０は、羽根２２から副羽根２４が抜けるのを防止する抜け止め手段を備えている。この抜け止め手段は、副羽根２４の前面（図６の左側の面）と背面の筒状部２１側の端部のそれぞれに設けられた一対の鍔２４ａ，２４ｂと、副羽根２４の前面に対向する収納部２３の内壁面、および、副羽根２４の背面に対向する収納部２３の先端部側の内壁面のそれぞれに設けられ、副羽根２４の前面または背面の方向に突出する一対の阻止部２３ａ，２３ｂとから構成されている。つまり、筒状部２１から離れる方向へ鍔２４ａ，２４ｂの移動が阻止部２３ａ，２３ｂで阻止されることで、副羽根２４が抜け止めされる。図５の２点差線は、抜け止めされたときの副羽根２４の位置である。
【００１９】
３つの羽根２２の前面には、遊技盤８と平行な方向に広がり羽根２２を覆う金属製の前面板２８が設けられている。前面板２８には筒状部２１と同心の貫通孔２９が形成されていて、その貫通孔２９に釘２７が挿通されている。副羽根２４のテーパの設けられた先端は前面板２８よりも外方に突出している。
【００２０】
図６において２８ａは前面板２８の模様であり、この模様２８ａにより羽根車２０が回転中か否かが識別しやすくなっている。副羽根２４は、前面板２８の外方に突出したことが分かりやすいように、例えば前面板２８とも羽根車２０の周囲の遊技領域９の色とも異なる色に着色されている。
【００２１】
このように構成された本実施形態に係る羽根車２０は次のように動作する。
【００２２】
羽根２２の回転時、副羽根２４が遠心力でコイルスプリング２６の付勢力に抗して、筒状部２１離れる方向に移動することにより、羽根２２からの副羽根２４の突出量が大きくなる。この突出量は羽根２２の回転速度に応じて変化する。
【００２３】
羽根２２の回転が遅くなり、遠心力がコイルスプリング２６の付勢力よりも小さくなると、コイルスプリング２６が副羽根２４を筒状部２１に近づく方向に移動させながら復元する。これにより、副羽根２４は図５に実線で示す初期位置に戻る。
【００２４】
回転中の羽根車２０による遊技球の振り分け先は、副羽根２４の突出量に応じて複雑に変化する。例えば副羽根２４の突出量が最大になったときに、すなわち、阻止部２３ａ，２３ｂに鍔２４ａ，２４ｂが当接した位置まで副羽根２４が移動したときに、副羽根２４で弾かれた遊技球の軌道は、例えば図７に２点鎖線で示す遊技球３０の軌道のように電動チューリップ１１に向うものとなることがある。これに対し、副羽根２４の突出量が最小の場合、図７に示す軌道が描かれることはない。
【００２５】
本実施形態に係る羽根車２０よれば次の効果を得られる。
【００２６】
本実施形態に係る羽根車２０では、羽根２２の回転時に副羽根２４が遠心力でコイルスプリング２６の付勢力に抗して筒状部２１から離れる方向に移動することによって、羽根２２からの副羽根２４の突出量が大きくなるので、羽根車２０の挙動が複雑になる。また、羽根車２０は、副羽根２４に弾かれる遊技球の軌道を副羽根２４の突出量に応じて変化させるので、遊技球の振り分け先を変化に富んだものにすることができる。これらの結果、遊技者の羽根車への興味を向上させることができる。
【００２７】
本実施形態によれば、前面板２８の外方に突出した副羽根２４の部分は、前面板２８とも羽根車２０の周囲の遊技領域９とも色が異なるから、遊技者は副羽根２４の突出量の変化を視認できる。これにより、副羽根２４の突出量の変化をより強く印象付けることができ、また、遊技領域９の見た目の賑やかさを向上させることができる。
【００２８】
なお、本実施形態に係る羽根車２０は、すべての羽根２２に副羽根２４が設けられているが、本発明はこれに限定されるものではなく、すべての羽根のうちのいずれかに副羽根が設けられたものであってもよい。
【００２９】
本実施形態に係る羽根車２０では、初期位置にある副羽根２４が羽根２２から突出しているが、本発明の副羽根の初期位置はこれに限定されるものではなく、副羽根２４が収納部２３内に完全に収納された位置であってもよい。
【００３０】
本実施形態に係る羽根車２０では、初期位置にある副羽根２４が前面板２８の外方に突出しているが、本発明の副羽根の初期位置はこれに限定されるものではなく、前面板２８の外方に突出しない位置であってもよい。
【００３１】
本実施形態に係る羽根車２０では、羽根２２に形成された収納部２３の底部と、副羽根２４に形成された凹部２４ｃの底部とにコイルスプリング２６の両端のそれぞれが保持されていて、伸張させられた状態から自然長に収縮する際のコイルスプリング２６の復元力が副羽根２４の付勢力となるが、本発明はこれに限定されるものではない。羽根車２０において、凹部２４ｃを設けるのをやめ、阻止部２３ａと鍔２４ａとの間の空間、および、阻止部２３ｂと鍔２４ｂとの間の空間のそれぞれを大きく形成し、阻止部２３ａと鍔２４ａの間、および、阻止部２３ｂと鍔２４ｂの間のそれぞれにコイルスプリング２６の替わりの別のコイルスプリングを挟持させることによって、収縮させられた状態から自然長に伸張する際の別のコイルスプリングの復元力を、副羽根の付勢力としてもよい。
【００３２】
本実施形態に係る羽根車２０は、副羽根２４の色が前面板２８と異なる色に着色されているが、本発明における副羽根の色はこれに限るものではなく、副羽根２４が前面板２８の外方に突出したことが視認しやすい色であれば、前面板の模様と同じ色であってもよい。
【図面の簡単な説明】
【００３３】
【図１】本発明の一実施形態に係る羽根車を備えた弾球遊技機の正面側を示す斜視図である。
【図２】図１に示した弾球遊技機の遊技盤の正面図である。
【図３】本発明の一実施形態に係る羽根車の正面図である。
【図４】図３に示した羽根車の裏面図である。
【図５】図３のV−V断面図である。
【図６】図３に示した副羽根が羽根から突出した状態を示す正面図である。
【図７】図６に示した状態の副羽根により振り分けられた遊技球の軌道の一例を示す図である。
【符号の説明】
【００３４】
１    弾球遊技機
２    機枠
３    前枠
４    ガラス扉
５    一体皿ユニット
６    受け皿
７    発射ハンドル
８    遊技盤
９  遊技領域
１０  表示装置
１１  電動チューリップ
１２，１３  可動片
１４  スルーチャッカー
２０  羽根車
２１  筒状部
２２  羽根
２３  収納部
２３ａ，２３ｂ  阻止部
２４  副羽根
２４ａ，２４ｂ  鍔
２４ｃ  凹部
２５  おもり
２６  コイルスプリング
２７  釘
２７ａ  頭部
２８  前面板
２８ａ  模様
２９  貫通孔
３０  遊技球
【図１】
2008289608.tif 000003
【図２】
2008289608.tif 000004
【図３】
2008289608.tif 000005
【図４】
2008289608.tif 000006
【図５】
2008289608.tif 000007
【図６】
2008289608.tif 000008
【図７】
2008289608.tif 000009